(57)【特許請求の範囲】
【請求項１】
基部と、該基部に多数立設される可撓性を有する毛部とを備えて、足裏を擦りつけて用いることが可能な足洗い用ブラシであって、
前記毛部の先端部側のみに、研磨材を塗付して形成された研磨層からなる、研磨性を有した研磨部が設けられていることを特徴とする足洗い用ブラシ。
【請求項２】
前記研磨部は、接着剤と研磨材とを配合した塗料である請求項１に記載の足洗い用ブラシ。
【請求項３】
前記接着剤と研磨材との配合割合は、３：７とされている請求項２に記載の足洗い用ブラシ。
【請求項４】
前記研磨材の粒径は、１〜１００μｍとされている請求項１乃至請求項３のいずれか１項に記載の足洗い用ブラシ。
【請求項５】
前記毛部同士の離間間隔は、３〜１０ｍｍである請求項１乃至請求項４のいずれか１項に記載の足洗い用ブラシ。
【請求項６】
請求項１乃至請求項５のいずれか１項に記載の足洗い用ブラシと、抗菌性を有する洗剤とを備えてなる洗浄具。
【発明の詳細な説明】
【技術分野】
【０００１】
本発明は、足洗い用ブラシ及びこれを備えた洗浄具に関する。
【背景技術】
【０００２】
従来、対象物を洗浄するために用いられるブラシとして、例えば、基部上に可撓性を有する毛部を多数植設して構成される足洗いマットが公知である（特許文献１）。
【０００３】
かかる足洗いマットにあっては、足を洗うべく毛部に足を載せて擦りつけると、足裏に毛部が接触し、或いは足指間に可撓性のある毛部が入り込み、足裏や足指間の皮膚が毛部によって適度な強さで刺激されつつ、その皮膚に付着した垢や汚れを毛部によって擦り落として除去することができる。
【先行技術文献】
【特許文献】
【０００４】
【特許文献１】特開２００３−３２５３７３号公報
【発明の概要】
【発明が解決しようとする課題】
【０００５】
しかしながら、上記従来の足洗いマットにあっては、毛部が可撓性を有する柔らかいものであるため、比較的簡単に除去できる垢や汚れは十分に除去することができるが、例えば足裏の硬い角質など、簡単には除去できないような汚れや異物は十分に除去することができないという点で改善の余地があった。尚、かかる点は、足洗いマットに限らず、例えば人の手指や体を洗うブラシや調理器具を洗うブラシ、或いは、床やタイルなどを洗うブラシなど、洗浄全般に用いるブラシに共通するものである。
【０００６】
そこで、本発明は、上記点に鑑みてなされたもので、汚れや異物などを十分に除去することができる足洗い用ブラシ及び該足洗い用ブラシを備えた洗浄具を提供することを課題とする。
【課題を解決するための手段】
【０００７】
本発明は、上記課題を解決するためになされたもので、基部と、該基部に多数立設される可撓性を有する毛部とを備えて、足裏を擦りつけて用いることが可能な足洗い用ブラシであって、前記毛部の先端部側のみに、研磨材を塗付して形成された研磨層からなる、研磨性を有した研磨部が設けられていることを特徴とする。
【０００８】
かかる構成からなる足洗い用ブラシにあっては、基部に立設される毛部の先端部側のみに、研磨材を塗付して形成された研磨層からなる、研磨性を有する研磨部が設けられているため、足を洗浄すべく、足を足洗い用ブラシに擦りつける、或いは、足に足洗い用ブラシを擦りつけると、毛部は、研磨部が設けられていない基端部を主として全体が撓んで足の形状によくなじみ、先端部側の研磨部が足にしっかりと当接し、研磨層によって当接部分を研ぐように汚れや異物などを削り取って研磨することができる。従って、例えば、足裏の硬い角質や汚れなどの簡単に除去することができない汚れや異物であっても十分に除去することができる。
【０００９】
また、本発明に係る足洗い用ブラシでは、前記研磨部は、接着剤と研磨材とを配合した塗料であることが好ましい。また、前記接着剤と研磨材との配合割合は、３：７とされることが好ましい。さらに、前記研磨材の粒径は、１〜１００μｍとされることが好ましい。
【００１１】
また、本発明に係る足洗い用ブラシでは、前記毛部は、先端部側ほど細くなる先細り形状をなし、隣り合う毛部同士の離間間隔は、３〜１０ｍｍであることが好ましい。
【００１２】
かかる構成によれば、足を足洗い用ブラシに（或いは、足にブラシを）擦りつけると、多数の毛部は、３〜１０ｍｍの離間間隔を有して、それぞれが基端部を主として撓んで全体として足の形状になじむので、足の足洗い用ブラシと擦り合っている領域に毛部が満遍なく当接し、しかも、足指の間の狭い部分に先細りした先端部（研磨部が設けられている）が入り込む。よって、容易に且つ効果的に足の汚れや異物などを削り取って研磨することができる。
【００１３】
また、本発明に係る足洗い用ブラシでは、前記毛部の長さは５〜３０ｍｍであり、隣り合う毛部同士の離間間隔は３〜１０ｍｍであることが好ましい。
【００１４】
かかる構成によれば、足を足洗い用ブラシに（或いは、足にブラシを）擦りつけると、多数の毛部は、３〜１０ｍｍの離間間隔を有し、それぞれが５〜３０ｍｍの長さを有して柔軟に撓んで足の形状によくなじむので、足の足洗い用ブラシと擦り合っている領域に毛部が満遍なく当接する結果、容易に且つ効果的に足の汚れや異物などを削り取って研磨することができる。さらに、足と足洗い用ブラシとが擦れ合っている領域において、洗浄中に、各毛部が互いに擦れ合うため、例えば石鹸等の洗剤を用いて洗浄する際に、洗剤の泡立ちを促進させることができる。
【００１５】
また、本発明に係る洗浄具は、前記のいずれかに記載の足洗い用ブラシと、抗菌性を有する洗剤とを備えてなることを特徴とする。
【００１６】
かかる構成からなる洗浄具によれば、前記足洗い用ブラシによって、足の汚れや異物などを削り取って研磨することができるとともに、洗剤の界面活性作用により汚れ等の除去を促進することができ、また、洗剤の抗菌作用によって、足の研磨した部分における洗浄後の細菌の繁殖を抑制することができる。さらに、洗浄の際の洗剤の泡立ちを良くすることができるため、洗剤の界面活性作用を効果的に高めて洗浄効果を向上させることができる。従って、例えば、足裏の硬い角質であっても極めて十分に除去することができる。
【発明の効果】
【００１７】
以上のように、本発明に係る足洗い用ブラシ及び該足洗い用ブラシを備えた洗浄具によれば、毛部の先端部側のみに、研磨材を塗付して形成された研磨層からなる、研磨性を有した研磨部が設けられているので、足を洗浄すべく足を足洗い用ブラシに擦りつける（或いは、足に足洗い用ブラシを擦りつける）と、足洗い用ブラシの毛部が撓んで足の表面形状によくなじみ、研磨部によって足の表面を研ぐようにして、汚れや異物などを十分に除去することができるという効果を奏する。
【図面の簡単な説明】
【００１８】
【図１】本発明の一実施形態に係る足洗い用ブラシを示す図であって、（ａ）は平面図、（ｂ）は（ａ）のＡ−Ａ線断面図、（ｃ）は（ａ）のＢ−Ｂ線断面図である。
【図２】同足洗い用ブラシに係る毛部を示す図であって、（ａ）は毛部の通常状態を示す断面図、（ｂ）は毛部が撓んだ状態を示す断面図である。
【図３】他実施形態に係る足洗い用ブラシにおける毛部の斜視図であって、（ａ）は先端部側が十字溝形状である毛部の斜視図であり、（ｂ）は先端部側が天面凸形状である毛部の斜視図であり、（ｃ）は先端部側が球形状である毛部の斜視図である。
【図４】他実施形態に係る足洗い用ブラシにおける毛部の斜視図であって、（ａ）は先端部側が縦リブ形状である毛部の斜視図であり、（ｂ）は先端部側が縦溝形状である毛部の斜視図であり、（ｃ）は先端部側が側面凸形状である毛部の斜視図であり、（ｄ）は先端部側が側面凹形状である毛部の斜視図である。
【図５】他実施形態に係る足洗い用ブラシにおける毛部の斜視図であって、（ａ）は先端部側が横リブ形状である毛部の斜視図であり、（ｂ）は先端部側が横溝形状である毛部の斜視図である。
【図６】他実施形態に係る足洗い用ブラシにおける毛部の斜視図であって、（ａ）は先端部側がテーパー状である毛部の斜視図であり、（ｂ）は先端部側がテーパーＲ形状である毛部の斜視図であり、（ｃ）は先端部側がストレート形状である毛部の斜視図であり、（ｄ）は先端部側がストレートＲ形状である毛部の斜視図である。
【発明を実施するための形態】
【００１９】
以下、本発明に係る足洗い用ブラシ（以下、「ブラシ」と称する）の一実施形態について、図面を参酌しつつ説明する。
【００２０】
図１に、本実施形態に係るブラシ１が示されている。このブラシ１は、人の足裏（角質や汚れ等）を洗浄するために用いられるもので、足裏を擦りつけて使用される。具体的には、ブラシ１は、基部２と、該基部２に多数立設される可撓性を有する毛部３とを備えて構成されている。尚、ブラシ１（即ち、基部２と毛部３）は、可撓性（或いは弾力性）を有する素材であって、合成樹脂からなる樹脂成形体（例えば、ポリ塩化ビニル樹脂、塩化ビニル樹脂、スチレン系エラストマー樹脂）として、一体成形されてなる。
【００２１】
本実施形態に係る基部２は、表裏面が平坦な平板状の本体部２１と、該本体部２１の周縁に設けられている縁部２２とを備えてマット状に構成されている。ここで、縁部２２は、内端部が２ａ側に突出し、外端部が２ｂ側に突出するように構成されている。また、本体部表面２ａには、後述の多数の毛部３が立設され、本体部裏面２ｂには、本体部２１を床や傾斜面、壁等に吸着固定させるための吸盤２３が多数設けられている。尚、これら多数の吸盤２３は、本体部裏面２ｂの全面に亘るように互いに離間して配置されており、特に足の土踏まずに対応する中央領域が、足先や踵に対応する他の領域よりも密になるように離間間隔をつめて配置されている。また、基部２は、可撓性（或いは弾力性）を有する素材であって、合成樹脂からなる樹脂成形体（例えば、ポリ塩化ビニル樹脂、塩化ビニル樹脂、スチレン系エラストマー樹脂）である。
【００２２】
本実施形態に係る毛部３は、直線状の棒形状をなし、その長手方向の基端部３１が基部２に固定されて該基部２に対して立設されている。具体的には、毛部３は、基端部３１から先端部側３２ａに向けて徐々に細径となる先細り形状（テーパー状で平面視略円形状、つまり円錐形状）であり、その先端部３２は、図２（ａ）に示すように、上面が平坦で平面視略円形状の、上方ほど径が大きくなるような正面視杯形状（以下、杯形状）に構成されている。また、この毛部３は、長さが２０ｍｍ、樹脂硬度が４０度（ＪＩＳ-Ｋ６２５３のデュロメータータイプＡ（ショアＡ）硬度）、基端部側３１ａの直径が２．８ｍｍ、先端部側３２ａの直径が１．７ｍｍ、先端部３２の上面の直径が３．５ｍｍ（つまり、先端部３２の上面の直径は基端部側３１ａの直径よりも大きい）で構成されている。尚、多数の毛部３のうち、足の指に対応する基部２の本体部表面２ａの前方側Ｘに設けられている毛部３における基端部側３１ａの直径及び先端部側３２ａの直径は、足の踵に対応する後方側Ｙに設けられている毛部３における各直径よりもわずかに大きくなっている。例えば、前方側Ｘの毛部３の基端部側３１ａの直径は３．０ｍｍであり、先端部側３２ａの直径は１．９ｍｍである。
【００２３】
また、毛部３は、基部２の本体部表面２ａの全面に亘って、互いに離間して複数立設され、隣り合う毛部３同士の離間間隔（基部２の前後（ＸＹ）方向とそれに直交する左右方向の離間間隔）が６ｍｍで構成されている。尚、毛部３は、可撓性（或いは弾力性）を有する素材であって、合成樹脂からなる樹脂成形体（例えば、ポリ塩化ビニル樹脂、塩化ビニル樹脂、スチレン系エラストマー樹脂）である。
【００２４】
また、毛部３は、その長手方向の基端部３１を除く少なくとも先端部３２に、研磨性を有する研磨部３３が設けられて構成される。具体的には、研磨部３３は、毛部３の基端部３１よりも先端側の領域のうち、少なくとも先端部３２に設けられている。本実施形態では、研磨部３３は、毛部３の先端部３２から長手方向中央部にかけて設けられており、具体的には、先端部３２から長手方向に沿って５ｍｍ程度の長さに亘って設けられている。尚、毛部３の研磨部３３は、図２（ａ），（ｂ）においてハッチングを用いて簡略して示し、他の図においては図示を省略している。
【００２５】
本実施形態に係る研磨部３３は、毛部３の表面に、研磨材が塗付されて形成された研磨層からなる。研磨材は、例えば炭化ケイ素、トルマリン、アルミナ、ガラスのいずれか一つ或いは複数からなり、好ましくは、アルミナからなる。また、研磨材の粒径は、１〜１００μｍからなり、好ましくは、３〜６０μｍからなる。
【００２６】
ここで、本実施形態に係るブラシ１の成形について説明する。上記構成のブラシ１は、インジェクション成形（射出成型）によって、所定の金型に注入口（図１（ａ）の溶融樹脂注入口痕Ｒに対応）を介して溶融樹脂（合成樹脂）を注入して充填し、研磨部３３を除き全体が一体的に成形されている。このようにして成形された樹脂成形体の毛部３の先端部側３２ａに、ウレタン系やアクリル系の接着剤を介して研磨材を塗付して毛部３の表面に薄膜状の研磨層である研磨部を形成する。ここで、塗付は、接着剤と研磨材との配合割合が３：７であるような塗料を、毛部３の先端部側３２ａにスプレー等で噴きつけ、或いは、前記塗料を入れた容器に、毛部３の先端部側３２ａを漬けることによってなされる。
【００２７】
上記構成からなる、本実施形態に係るブラシ１は、足裏を洗浄すべく、本体部裏面２ｂを床等に吸着固定して、本体部表面２ａに対して足裏を擦りつけて使用される。詳細に説明すると、ブラシ１は、本体部裏面２ｂの吸盤２３を床等に吸着させてブラシ１を固定する。そして、本体部表面２ａの毛部３に対して、径が比較的大きくなっている前方側Ｘの毛部３に足指を載置させ、また後方側Ｙの毛部３に足の踵を載置させて、足を前後に動かして足裏を毛部３に擦りつける。足裏を擦りつけた際には、毛部３は、例えば図２（ｂ）に示すように、研磨部３３が設けられていない基端部３１を主として全体が撓む。尚、ブラシ１は、両足で使用することも、右足又は左足の一方だけで使用することも可能である。
【００２８】
また、本実施形態に係るブラシ１は、上記のような足裏を洗浄するために単独で使用される他、抗菌性を有する洗剤と共に洗浄具（つまり、本実施形態に係る洗浄具は、ブラシ１と、抗菌性を有する洗剤とを備えて構成される）として使用される。洗剤は、例えば石鹸や合成洗剤等であり、本実施形態では抗菌性を有する石鹸である。石鹸の使用に際しては、ブラシ１が例えば本体部裏面２ｂの吸盤２３によって床等に吸着固定された状態で、本体部表面２ａの毛部３の先端部側３２ａに対して、水に濡らした石鹸を擦りつける。石鹸を擦りつけた際には、石鹸は、研磨部３３と擦れ合って泡立ち、その泡は、ブラシ１（基部２や毛部３）に付着する。そして、ブラシ１（基部２や毛部３）に石鹸の泡が付着した状態で、足をブラシ１に載置させ、足裏を毛部３に擦りつける。
【００２９】
以上のように、本実施形態に係るブラシ１によれば、基部２に立設される毛部３の、基端部３１を除いた少なくとも先端部３２に、研磨性を有する研磨部３３が設けられているため、足裏を洗浄すべく、足裏をブラシ１に擦りつける、或いは、足裏にブラシ１を擦りつけると、毛部３は、研磨部３３が設けられていない基端部３１を主として全体が撓んで足裏の形状によくなじみ、先端部側３２ａの研磨部３３が足裏にしっかりと当接し、該研磨部３３で当接部分を研ぐように汚れや異物などを削り取って研磨することができる。従って、足裏に硬い角質があっても十分に除去することができる。さらに、ブラシ１は、樹脂成形体であるため、撥水性によって、洗浄後のブラシ１表面に汚れが付着しにくく衛生的に使用できる。
【００３０】
また、研磨部３３は、毛部３の表面に、研磨材が塗付されて形成された研磨層であるため、研磨層によって足裏に当接している部分を研ぐように、角質や汚れなどを削り取って研磨することができ、研磨性を向上させることができる。
【００３１】
また、研磨部３３は、例えば粒径３〜６０μｍのアルミナの微粒子からなるため、足裏を研磨する際に、肌触り感が良く、足裏を優しく円滑に研磨できる。
【００３２】
また、毛部３は、先端部側３２ａほど細くなる先細り形状をなし、隣り合う毛部３同士の離間間隔が、６ｍｍで密集して設けられているため、足裏をブラシ１に（或いは、足裏にブラシ１を）擦りつけると、多数の毛部３は、６ｍｍの離間間隔を有して、それぞれが基端部３１を主として撓んで全体として足裏の形状になじむので、足裏のブラシ１と擦り合っている領域に毛部３が満遍なく当接し、しかも、足裏の狭い部分（例えば、足指の間）に先細りした先端部３２（研磨部３３が設けられている）が入り込む。よって、容易に且つ効果的に足裏の汚れや異物などを削り取って研磨することができる。
【００３３】
また、毛部３の先端部３２は杯形状をなしているため、先端部側３２ａの形状に即して塗付された研磨材が先端部３２に保持される。即ち、毛部３には、研磨部３３（研磨層）を構成する研磨材を毛部３に対して保持する研磨材保持部が形成されているので、研磨材が毛部３に保持されて該毛部３からの剥離が抑制され（阻止され）、研磨材の耐久性を向上させることができる。また、先端部３２における杯形状上面周縁は尖って形成されているため、研磨部３３による研磨性を向上せることができる。
【００３４】
また、毛部３の長さは２０ｍｍであり、隣り合う毛部３同士の離間間隔は６ｍｍであるため、足裏をブラシ１に（或いは、足裏にブラシ１を）擦りつけると、多数の毛部３は、６ｍｍの離間間隔を有し、それぞれが２０ｍｍの長さを有して柔軟に撓んで足裏の形状によくなじむので、足裏のブラシ１と擦り合っている領域に毛部３が満遍なく当接する結果、容易に且つ効果的に足裏の汚れや異物などを削り取って研磨することができる。さらに、足裏とブラシ１とが擦れ合っている領域において、洗浄中に、各毛部３が互いに擦れ合うため、例えば石鹸等の洗剤を用いて洗浄する際に、洗剤の泡立ちを促進させることができる。
【００３５】
また、毛部３は、先端部側３２ａほど細くなる先細り形状をなし、基端部側３１ａの直径が２．８ｍｍ（３．０ｍｍ）、先端部側３２ａの直径が１．７ｍｍ（１．９ｍｍ）であるため、足裏をブラシ１に（或いは、足裏にブラシ１を）擦りつけると、各毛部３が基端部３１を主として全体が柔軟に撓み、多数の毛部３が全体として足裏の表面形状によくなじみ、各毛部３の先端部側３２ａの研磨部３３が足裏の表面にしっかり当接する結果、容易に且つ効果的に足裏の汚れや異物などを削り取って研磨することができる。
【００３６】
また、毛部３は、樹脂成形体であって、その樹脂硬度は４０度であるため、毛部３の可撓性（或いは弾力性）を向上させることができ、足裏の洗浄時に毛部３に足裏を擦りつけた際に、毛部３は極めて柔軟に撓むことができる。
【００３７】
また、多数の毛部３のうち、足の指に対応する基部２の本体部表面２ａの前方側Ｘに設けられている毛部３における基端部側３１ａの直径及び先端部側３２ａの直径は、足の踵に対応する後方側Ｙに設けられている毛部３における各直径よりもわずかに大きくなっているため、足指間の隙間に前方側Ｘの毛部３が程よく入り込んでしっかり当接し、足裏をブラシ１に擦りつけた際には、足指間の汚れや角質を容易に且つ効果的に削り取って研磨することができる。
【００３８】
また、ブラシ１の本体部裏面２ｂには、吸盤２３が設けられているため、ブラシ１を床等に吸着固定でき、ブラシ１に対して、足裏を容易に擦りつけることができる。
【００３９】
また、多数の吸盤２３は、本体部裏面２ｂの全面に亘るように互いに離間して配置されており、特に足の土踏まずに対応する中央領域が、足先や踵に対応する他の領域よりも密になるように離間間隔をつめて配置されているため、例えば足裏をブラシ１に強く擦りつけた場合であっても、ブラシ１の前後方向中心部分がぶれることなく吸着固定された状態を保持し、足裏を円滑にブラシ１に擦りつけることができる。
【００４０】
また、基部２の本体部表面２ａには、周縁に縁部２２が設けられているため、足裏の洗浄時に洗剤や水等を使用するに際し、これらを本体部表面２ａに溜めておくことができ、洗剤の泡立ちを促進させることができる。
【００４１】
また、洗浄具は、ブラシ１と、抗菌性を有する石鹸（洗剤）とを備えて構成されるため、前記ブラシ１によって、足裏の汚れや異物などを削り取って研磨することができるとともに、石鹸の界面活性作用により汚れ等の除去を促進することができ、また、石鹸の抗菌作用によって、足裏の研磨した部分における洗浄後の細菌（例えば水虫の原因となる白癬菌）の繁殖を抑制することができる。さらに、洗浄の際の洗剤の泡立ちを良くすることができるため、石鹸の界面活性作用を効果的に高めて洗浄効果を向上させることができる。従って、足裏の硬い角質であっても極めて十分に除去し、除去後においても足裏の細菌発育が抑制されて清潔感を維持することができる。
【００４２】
尚、本発明のブラシ１は、上記実施形態に限定されるものではなく、本発明の要旨を逸脱しない範囲内において種々変更を加え得ることは勿論である。
【００４３】
本実施形態においては、ブラシ１は、足裏を洗浄すべくマット状に構成される場合について説明したが、これに限らず、ブラシは、例えば調理具や床等を洗浄すべく掃除用具用であって、所謂亀の子たわしのようなタワシ状、スポンジ状やデッキブラシ状に構成されても好い。ここで、例えば、スポンジ状のブラシは、略立方体状の合成スポンジの一面（基部）に対向する他面に研磨材を塗付し、該他面に複数の切れ目（例えば采の目）を設けて、多数の毛部を形成してなり、また、デッキブラシ状のブラシは、棒状の柄と、該柄の一端に設けられた平板状で平面視略長方形の基部と、該基部に多数立設される可撓性を有する毛部とを備え、前記毛部の、基端部を除く少なくとも先端部には、研磨性を有する研磨部が設けられてなる。かかる掃除用具用のブラシでは、調理器具の焦げ付いた汚れ、或いは、床やタイルの汚れなどの簡単に除去することができない汚れや異物であっても極めて十分に除去することができる。
【００４４】
その他にも、ブラシ１は、化粧分野等の用途であって、例えば肘や膝等の身体の部位を洗浄や刺激するように使用（構成）されることも可能であり、この場合、ブラシは、例えば、棒状の基部と、該基部の長手方向一方側表面に多数立設される可撓性を有する毛部とを備え、前記毛部の、基端部を除く少なくとも先端部には、研磨性を有する研磨部が設けられてなる。かかるブラシでは、洗浄効果に加え、美容や美肌効果をもたらすことができる。
【００４５】
また、本実施形態においては、毛部３は、合成樹脂からなる樹脂成形体で構成される場合について説明したが、これに限らず、毛部は、可撓性（或いは弾力性）を有する素材であって、獣毛或いは天然繊維（例えば、ヤシの木の繊維など）で構成されても好い。
【００４６】
また、本実施形態においては、毛部３は、先端部側３２ａほど細くなる先細り形状をなして構成される場合について説明したが、これに限らず、毛部は、径が一定となるように構成されることも可能である。
【００４７】
また、本実施形態においては、毛部３は、基端部側３１ａの直径が２．８ｍｍ、先端部側３２ａの直径が１．７ｍｍ、長さが２０ｍｍで構成される場合について説明したが、これに限らず、毛部は、基端部の直径が１．８〜４．１ｍｍの範囲、先端部側の直径が０．７〜３．０ｍｍの範囲、長さが５〜３０ｍｍの範囲で構成することが可能である。
【００４８】
また、本実施形態では、多数の毛部３のうち、足の指に対応する基部２の本体部表面２ａの前方側Ｘに設けられている毛部３における基端部側３１ａの直径及び先端部側３２ａの直径は、足の踵に対応する後方側Ｙに設けられている毛部３における各直径よりもわずかに大きくなっている場合について説明したが、これに限らず、前方側の毛部が後方側の毛部の各直径と同じように構成されても好いし、洗浄対象の表面形状に応じて変更することも可能である。
【００４９】
また、本実施形態においては、毛部３は、隣り合う毛部３同士の離間間隔が６ｍｍで構成される場合について説明したが、これに限らず、毛部は、隣り合う毛部同士の離間間隔が３〜１０ｍｍの範囲で構成することが可能である。
【００５０】
また、本実施形態においては、毛部３は、基部２と一体的に構成される場合について説明したが、これに限らず、毛部は、基部とは別に成形されて、基端部側を基部に取り付けて設けるように構成されても好い。
【００５１】
また、本実施形態においては、毛部３は、全ての長さが２０ｍｍで多数設けられる場合について説明したが、これに限らず、毛部は、長さが足裏の形状に対応して、例えば、足の土踏まずに対応する基部の本体部表面の中央側、足指に対応する前方側、足の踵に対応する後方側の順に長くなるように構成（即ち、中央側が一番長く、次に前方側が長くなるように構成）されても好い。或いは、基部２は、本体部表面２ａが両足裏の形状に対応して、例えば、中央側に足の土踏まずに対応した凸状の膨らみ部を設けて構成されても好い。
【００５２】
また、本実施形態においては、毛部３の研磨材保持部（先端部３２）は、上面が平坦な正面視杯形状となる場合について説明したが、これに限らず、毛部の研磨材保持部（先端部）は、研磨部（研磨層）を構成する研磨材を毛部に対して保持する凹凸形状を採用することが可能である。例えば、毛部の先端部側は、上面中央部が上面周縁に対して窪んだ凹状の正面視杯形状となるように構成されても好い。
【００５３】
その他にも、毛部の先端部側は、長手方向外側に突起が設けられてなる凸形状をなすようにしても好い。この場合、毛部の先端部側は、例えば、十字型の溝（切り込み）を先端部上面から毛部の長手方向に沿って設け、先端部側に４つの突起ａを形成してなる十字溝形状（図３（ａ）参照）、先端ほど先細りする平面視略円形状の突起ｂが先端部上面に４つ隣設されてなる天面凸形状（図３（ｂ）参照）、略球形状の突起ｃが先端部上面に１つ設けられてなる球形状（図３（ｃ）参照）となるように構成されることが可能である。
【００５４】
また、毛部の先端部側は、側周面に凹凸形状が設けられて構成されても好い。この場合、毛部の先端部側は、例えば、毛部の先端部から長手方向に沿って畝状の凹凸部が側周面に設けられてなる形状であって、毛部の先端部から長手方向に沿う直線状の凸部ｄを周方向に６つ略均等に離間して有する平面視略六角形状の縦リブ形状（図４（ａ）参照）、毛部の先端部から長手方向に沿う直線状の凹（溝）部ｅを周方向に６つ略均等に離間して有する平面視略六角形状の縦溝形状（図４（ｂ）参照）とすることが可能である。
【００５５】
或いは、毛部の先端部側は、平面視略円形状の凸部又は凹部が側周面に設けられてなる形状であって、平面視略円形状の凸部ｆが長手方向に沿って直線状に２〜３つ設けられ、該直線状に設けられる凸部ｆ群が、周方向に４つ略均等に離間して配置されてなる側面凸形状（図４（ｃ）参照）、平面視略円形状の凹部ｇが長手方向に沿って直線状に２〜３つ設けられ、該直線状に設けられる凹部ｇ群が、周方向に４つ略均等に離間して配置されてなる側面凹形状（図４（ｄ）参照）とすることも可能である。
【００５６】
さらに、毛部の先端部側は、毛部の周方向に沿って畝状の凹凸部が側周面に設けられてなる形状であって、毛部の周方向一周に亘る凸部ｈが長手方向に３つ略均等に離間して配置されてなる平面視略円形状の横リブ形状（図５（ａ）参照）、毛部の周方向一周に亘る凹（溝）部ｉが長手方向に３つ略均等に離間して配置されてなる平面視略円形状の横溝形状（図５（ｂ）参照）とすることも可能である。
【００５７】
また、毛部の先端部側は、研磨部（研磨層）を構成する研磨材を毛部に対して保持する凹凸形状の他にも、起伏のない平坦な形状を採用しても好い。この場合、毛部の先端部側は、平面視略円形状のテーパー形状や円柱形状とすることが可能である。毛部の先端部側がテーパー形状の場合、毛部の先端部側は、例えば、先端上面が平坦部ｊであり、その先端にかけて先細りするテーパー形状（図６（ａ）参照）、先端上面が半球形状ｋであり、その先端にかけて先細りするテーパーＲ形状（図６（ｂ）参照）とすることができる。また、毛部の先端部側が円柱形状の場合、毛部の先端部側は、例えば、先端上面が平坦部ｌであり、基端部から先端部まで径が略一定のストレート形状（図６（ｃ）参照）、先端上面が半球形状ｍであり、基端部から先端部まで径が略一定のストレートＲ形状（図６（ｄ）参照）とすることができる。
【００５８】
また、本実施形態においては、毛部３の樹脂硬度は、４０度からなる場合について説明したが、これに限らず、毛部の樹脂硬度は、３５〜７０度の範囲で構成することが可能である。
【００５９】
また、本実施形態においては、研磨材の毛部３への塗付は、接着剤と研磨材との配合割合が３：７であるような塗料を用いてなされる場合について説明したが、これに限らず、研磨材の毛部への塗付において、塗料における接着剤と研磨材との配合割合は、１：９、２：８、５：５等でも好く、また接着剤と研磨材とを混合した塗料を用いることなく、接着剤を毛部の先端部側に先に塗付して、その接着剤の上から研磨材を別途塗付するようにしても好い。
【００６０】
また、本実施形態においては、研磨部３３は、毛部３の先端部側３２ａに、先端部３２から長手方向に沿って５ｍｍ程度の長さに亘って設けられる場合について説明したが、これに限らず、研磨部は、毛部の先端部から長手方向に沿う方向に、毛部の長手方向の全体長の２／３、１／２、１／３、１／４、１／５等に亘って設けられるようにしても好いし、また、研磨部は、毛部の先端部から長手方向外側に向かって延設されても好い。
【００６１】
また、本実施形態においては、研磨材は、接着剤を介して塗付される場合について説明したが、これに限らず、研磨材は、毛部表面に織込んで構成することも可能である。
【００６２】
また、本実施形態においては、吸盤２３は、本体部裏面２ｂの全面に亘るように互いに離間して配置されており、特に足の土踏まずに対応する中央領域が、足先や踵に対応する他の領域よりも密になるように離間間隔をつめて配置される場合について説明したが、これに限らず、吸盤２３は、本体部裏面２ｂの全面に亘るように互いに略均等に離間して配置されることや、本体部裏面２ｂの一部領域だけに配置されることも可能であり、或いは、吸盤２３を本体部裏面２ｂに設けないことも可能である。
【符号の説明】
【００６３】
１…ブラシ、２…基部、２ａ…本体部表面、２ｂ…本体部裏面、３…毛部、２１…本体部、２２…縁部、２３…吸盤、３１…基端部、３１ａ…基端部側、３２…先端部、３２ａ…先端部側、３３…研磨部、Ｘ…本体部表面の前方側、Ｙ…本体部表面の後方側、Ｒ…溶融樹脂注入口痕
【図１】
0005735842.tif 000002
【図２】
0005735842.tif 000003
【図３】
0005735842.tif 000004
【図４】
0005735842.tif 000005
【図５】
0005735842.tif 000006
【図６】
0005735842.tif 000007